(57)【要約】【課題】電磁弁からの洩れ水の回収を適正に行う。【解決手段】冷水タンク２０に被着された蓋２１には取付箱６０が一体形成され、各部屋６３ごとに電磁弁３０が収容される。電磁弁３０の入出力ポート３２，３３に、それぞれ入口ジョイント４０の接続管４２と、出口ジョイント５０の接続管５２とがシールリング４４，５４を介して接続される。各部屋６３の底板６４には、冷水タンク２０内に開口した通孔７７が形成される。シールリング４４，５４の経時劣化等に起因して、入出力ポート３２，３３から図らずも水洩れした場合、洩れ水は各部屋６３の底板６４上に流れたのち、通孔７７を通って冷水タンク２０内に滴下し、貯留された冷却用水中に混入される。洩れ量が増えて冷水タンク２０の水位が上昇した場合は、冷水タンク２０に装備されたオーバフローパイプにより所定の排水箇所に排水され、冷却用水が溢れることはない。【選択図】  図５
2004161317.tif 000002
【特許請求の範囲】
【請求項１】
冷却用水の貯留された冷水タンク内には水の供給源と接続された流通管が浸漬され、この流通管における前記冷水タンクから導出された部分には開閉操作用の電磁弁が介設されてこの電磁弁が前記冷水タンクに被着された蓋上に設置され、前記電磁弁の開放により供給源から水が圧送されて冷却用水中を流通する間に冷水が生成され、所定の使用箇所に供給されるようにしたものにおいて、
前記蓋には前記冷水タンク内に開口する通孔が形成されていることを特徴とする冷水供給装置。
【請求項２】
前記蓋には前記電磁弁からの洩水が流下可能な凹部が設けられ、この凹部に前記通孔が開口されていることを特徴とする請求項１記載の冷水供給装置。
【発明の詳細な説明】
【０００１】
【発明の属する技術分野】
本発明は、冷水タンク内に浸漬した流通管に水を流通させることで冷水を供給するタイプの冷水供給装置に関する。
【０００２】
【従来の技術】
例えば給茶機に装備された冷水供給装置は、冷却用水の貯留された冷水タンク内に水道水等の飲用水の供給源と接続された流通管が浸漬され、この流通管における冷水タンクから導出された部分に開閉操作用の電磁弁が介設されて、この電磁弁が冷水タンクの蓋上に設置された構造となっており、電磁弁を開放することにより供給源から飲用水が圧送されて冷却用水中を流通する間に冷水が生成され、粉末茶と混合するミキシング容器等に供給されるようになっている（例えば、特許文献１参照）。
【０００３】
【特許文献１】
特開２００１−１７４１２３公報
【０００４】
【発明が解決しようとする課題】
ところで、流通管に電磁弁を介設する部分の構造は、流通管の途中位置を切断して設けられた２箇所の接続端が、電磁弁の入出力ポートとそれぞれシールリングを間に嵌着して接続されているが、シールリングの経時劣化等により、電磁弁のポートから図らずも水洩れが生じることはあり得る。
この洩れた水は、電磁弁の設置された冷水タンクの蓋上に溜まるが、洩れ量が増えると、蓋から溢れて冷水タンクの周面を伝い、給茶機本体の底面の通気孔等を通って設置面に滴下してこれを濡らしたり、本体内に装備された電気部品に降り懸かって損傷を与えるおそれがあった。
本発明は上記のような事情に基づいて完成されたものであって、その目的は、電磁弁からの洩れ水の回収を適正に行うところにある。
【０００５】
【課題を解決するための手段】
上記の目的を達成するための手段として、請求項１の発明の冷水供給装置は、冷却用水の貯留された冷水タンク内には水の供給源と接続された流通管が浸漬され、この流通管における前記冷水タンクから導出された部分には開閉操作用の電磁弁が介設されてこの電磁弁が前記冷水タンクに被着された蓋上に設置され、前記電磁弁の開放により供給源から水が圧送されて冷却用水中を流通する間に冷水が生成され、所定の使用箇所に供給されるようにしたものにおいて、前記蓋には前記冷水タンク内に開口する通孔が形成されている構成としたところに特徴を有する。
請求項２の発明は、請求項１に記載のものにおいて、前記蓋には前記電磁弁からの洩水が流下可能な凹部が設けられ、この凹部に前記通孔が開口されているところに特徴を有する。
【０００６】
【発明の作用及び効果】
＜請求項１の発明＞
電磁弁のポート等から水洩れが生じた場合、その洩れ水は冷水タンクの蓋上に流れたのち、蓋に開口された通孔から冷水タンク内に滴下して冷却用水中に混入する。洩れ量が増えて冷水タンクの水位が上昇しても、冷水タンクに装備されたオーバフローパイプによって所定箇所に排水されるから、冷却用水が溢れることはない。
仮に電磁弁から水洩れが生じてもすべて冷水タンク内に回収され、冷水タンクの回りに水が撒き散らされて汚れる等から防止される。
＜請求項２の発明＞
蓋上に滴下した洩れ水は凹部に流下し、その凹部に開口された通孔を通って冷水タンク内に滴下する。洩れ水の回収が迅速に行われる。
【０００７】
【発明の実施の形態】
以下、本発明を給茶機における冷水供給部分に適用した実施形態を添付図面に基づいて説明する。
＜第１実施形態＞
本発明の第１実施形態を図１ないし図５によって説明する。
図１において、符号１０は給茶機本体であって縦長の箱形に形成されており、その奥側に設けられた収納スペース内に、貯湯タンク１３と冷水タンク２０とが並んで設置されている。本体１０の手前側の下部には、詳しくは図示しないが注出ステージ１１が設定され、コップ等の容器を置くことができるようになっている。この注出ステージ１１の下面には、ドレンパンが設けられている。
【０００８】
先に、貯湯タンク１３側を簡単に説明する。貯湯タンク１３内には、投げ込み式のヒータ等が装備されていて、給水弁１４が開放されることで、縦向きに配管された第１給水管１５を通って上部側から水道水が供給されて所定量が貯留されるとともに、ヒータで加熱されることで所定温度に保温されている。なお、水位が所定水位まで下がったら、給水弁１４が開放して所定水位まで自動的に補給される。
貯湯タンク１３の底部側には給湯口が設けられ、この給湯口に４個の電磁弁（図示せず）が分岐して設けられていて、各電磁弁の出力ポートのうちの１つの出力ポートが、白湯または冷水用の注出管１７に導かれる吐出口１６Ａに接続されているとともに、他の３個の出力ポートは、粉末茶等と混合する個別のミキシング容器に導かれる吐出口１６Ｂに接続されている。
【０００９】
冷水タンク２０は、正面から見た左側のほぼ中央高さ位置に設置されている。この冷水タンク２０は、図２にも示すように、断熱構造で有底の円筒状に形成され、上面の開口には蓋２１が被着されるようになっている。冷水タンク２０内には、その内壁に沿うようにして蒸発パイプ２２が疎巻きの螺旋円筒状に形成されて配設されており、蒸発パイプ２２の入口と出口は、蓋２１の切り欠き開口２１Ａ（図２参照）を通って外部に引き出され、冷凍装置と冷媒配管により循環接続されて周知の冷凍サイクルが構成されている。冷凍サイクルの駆動により、蒸発パイプ２２の回りに氷層を形成しつつ貯留された冷却用水が冷却されるようになっている。
【００１０】
蒸発パイプ２２の内側には、熱伝導性に優れた素材からなるパイプを蒸発パイプ２２よりも小径の円筒形に密着巻きしてなる冷却コイル２４が同心に収容されている。冷却コイル２４の下端から立ち上げられた流入管２４Ａは、蓋２１の上面に突出したのち、図１に示すように、冷水タンク２０の左前面側を垂下するように配管されており、水道水等の水供給源から引き出されて給茶機本体１０の底部に沿って水平に配管された第２給水管２５と接続されている。水道水が冷却コイル２４を流通する間に、冷却用水により冷却されて冷水が生成される。
一方、冷却コイル２４の上端から立ち上げられた流出管２４Ｂ（図５参照）は、蓋２１に嵌着された導出口２６に接続され、この導出口２６から、それぞれに開閉操作用の電磁弁３０を介設した４本の冷水流通経路に分岐され、詳しくは後記するように、そのうち１本は、上記した白湯または冷水用の注出管１７に導かれる吐出口１６Ａに接続され、他の３個の出力ポート３３は、粉末茶等と混合する個別のミキシング容器に導かれる吐出口１６Ｂに接続されている。
【００１１】
電磁弁３０が介設された冷水の流通経路部分の配設構造は、以下のようである。電磁弁３０は公知の構造であって、図５に示すように、本体部３１の一面と反対側の面とにそれぞれ入力ポート３２と出力ポート３３とが形成され、両ポート３２，３３の間に弁口３４が設けられており、常にはソレノイド３５のプランジャ３６がばね３７の弾力で進出付勢されて、その先端に設けられた弁体３８が当接することにより弁口３４を閉じ、一方ソレノイド３５に通電されると、形成された磁場によりプランジャ３６がばね３７の弾力に抗して吸引後退され、弁体３８が離間することで弁口３４が開くようになっている。この電磁弁３０が４個並んで配設される。
【００１２】
電磁弁３０の入力ポート３２に接続される配管として、入口ジョイント４０が備えられている。この入口ジョイント４０は全体としてＬ型に形成され、一端側には、上記した導出口２６と接続される１個の接続管４１が設けられているとともに、それと直交する他端側には４個の接続管４２が分岐して設けられている。これらの接続管４２は、等間隔で互いに平行姿勢で配され、各電磁弁３０の入力ポート３２に嵌着されるようになっている。各接続管４２の先端側には、嵌着溝４３が周設されてシールリング４４が嵌着されているとともに、その所定寸法後方には、嵌着溝４３よりも深い係止溝４５が周設されている。詳細には、接続管４２が入力ポート３２内に正規に挿入された場合に、係止溝４５が入力ポート３２を設けた面の直ぐ外側に位置する設定となっている。
【００１３】
一方、電磁弁３０の出力ポート３３に接続される配管として、出口ジョイント５０が備えられ、この出口ジョイント５０は電磁弁３０の数に合わせて４本が設けられている。この出口ジョイント５０はＬ型をなし、その一端側の接続管５２が、電磁弁３０の出力ポート３３に嵌着されるようになっている。この接続管５２は、入口ジョイント４０の接続管４２と同様に、その先端側に嵌着溝５３が周設されてシールリング５４が嵌着されているとともに、その所定寸法後方に、嵌着溝５３よりも深い係止溝５５が周設されている。ただし、出口ジョイント５０側の係止溝５５は、上面が埋まったＵ字形となっている。この係止溝５５も、接続管５２が出力ポート３３内に正規に挿入された場合に、出力ポート３３を設けた面の直ぐ外側に位置する設定となっている。なお、出口ジョイント５０の接続管５１には、ホース５６（図１）が接続されるようになっている。
【００１４】
各電磁弁３０は、上記した冷水タンク２０の蓋２１に取り付けられるようになっている。この蓋２１は、ＡＢＳ樹脂等の射出成形によって形成されており、その手前側の縁部には、電磁弁３０の取付箱６０が一体形成されている。この取付箱６０は、図３ないし図５に示すように、横長で上げ底状に形成され、仕切壁６２により４個の部屋６３に仕切られており、各電磁弁３０は、底板６４に形成された位置決めピン６５を本体部３１の底面の位置決め孔に嵌合させつつ各部屋６３に収容されている。このとき、前後の壁板６６の間に、電磁弁３０の本体部３１における入力ポート３２と出力ポート３３とを設けた両面が挟まれるようになっている。
両壁板６６には、それぞれ入口ジョイント４０の接続管４２に設けられた係止溝４５と、出口ジョイント５０の接続管５２に設けられた係止溝５５とをそれぞれ上方から嵌めることができる４組の係止凹部６７が、電磁弁３０の並設ピッチと同じピッチで各部屋６３ごとに形成されている。
【００１５】
また、取付箱６０に収容された電磁弁３０を押さえるべくバンド７０が設けられている。このバンド７０は、例えば亜鉛鋼板により取付箱６０の長さに匹敵する長さを持った帯状に形成され、その両端に、取付箱６０の左右両側面を挟むようにして取付脚７１が曲げ形成されている。この取付脚７１は、図４の鎖線に示すように、予め内方に少し閉じて形成され、その下端に、ねじ７２の挿通孔７３を開口した取付部７４が外側に向けて曲げ形成されている。
一方、取付箱６０の左右の外側面には、取付脚７１の取付部７４を載せる取付座６８が形成され、ねじ孔６９が切られている。
【００１６】
なお、各出口ジョイント５０の接続管５２の上面には、エア抜き口５７が開口されている。また各エア抜き口５７が、蓋２１に一体に立てられた接続口５８とエア抜きホース（図示せず）で個別に接続され、注出された冷水が仮にエア抜き口５７から溢れたとしても、エア抜きホース内に留まって接続管５２内に戻るようになっている。また、蓋２１上に一体に立てられた４本のスペーサ５９は、撹拌用のインペラを駆動するモータを支持することに用いられる。
その他、冷水タンク２０の底面の中心には排水管２７が設けられている。また、冷水タンク２０の上端部の周壁にはオーバフローパイプ２８が設けられ、オーバフローホース２９により、上記した注出ステージ１１に配されたドレンパンに導かれている。
【００１７】
冷水の流通経路部分の組み付けは、以下のようにして行われる。まず４個の電磁弁３０が並んで配設されて、各電磁弁３０の入力ポート３２に、入口ジョイント４０の対応する接続管４２が挿入される。各接続管４２が正規位置まで挿入されると、係止溝４５が入力ポート３２を設けた面の直ぐ後方に位置する。それとともに、４本の出口ジョイント５０の接続管５２が、それぞれ各電磁弁３０の出力ポート３３に挿入され、同様に正規位置まで挿入されることで、係止溝５５が出力ポート３３を設けた面の直ぐ前方に位置する。
この状態から、入口ジョイント４０の下向きの接続管４１が蓋２１の導出口２６に挿入されつつ、４個の電磁弁３０の本体部３１が取付箱６０の各部屋６３内に収容される。これに伴い、入力ポート３２と出力ポート３３にそれぞれ挿入された接続管４２，５２の係止溝４５，５５が、取付箱６０の前後の壁板６６に形成された係止凹部６７に上方から入り込み、図５に示すように、電磁弁３０が底板６４に当たるまで入れられると、各係止凹部６７の周縁が対応する係止溝４５，５５に嵌合する。
【００１８】
そののち、各電磁弁３０の上面にわたってバンド７０が被せられ、両取付脚７１の取付部７４を取付座６８に当ててねじ７２で固定することにより、電磁弁３０は上方へ外れ止めされた状態で収容される。
最後に、各電磁弁３０の出力ポート３３に接続された出口ジョイント５０の下向きの接続管５１にホース５６が接続され、上記したように正面から見た右端の１本が、白湯または冷水用の注出管１７に導かれる吐出口１６Ａに接続され、他の３本は、粉末茶等と混合する個別のミキシング容器に導かれる吐出口１６Ｂに接続されている。
【００１９】
さて、この実施形態では、電磁弁３０を収容する取付箱６０の底板６４、詳細には、各電磁弁３０が収容される部屋６３の底板６４における後側の壁板６６に寄った位置ごとに、合計４個の通孔７７が開口されている。したがって各通孔７７は、冷水タンク２０の内部に臨んだ状態にある。
【００２０】
続いて、本実施形態の作用及び効果を説明する。この実施形態では、３種類のお茶と冷茶、及び白湯と冷水の合計８種類の飲料が注出可能とされている。
先に、お茶または白湯の注出動作を簡単に説明すると、貯湯タンク１３には、所定量以上の温水が所定温度に保持されて貯留されており、お茶または白湯の注出スイッチが操作されると、温水側の対応する電磁弁が所定時間開放されて、貯留された温水が水頭圧により給湯口から吐出され、開かれた電磁弁を通ったのち、粉末茶と混合されてお茶として、あるいは白湯として直接に注出管から注出される。
【００２１】
冷茶または冷水の注出動作は以下のようである。冷水タンク２０内には、氷層が形成されつつ冷却用水が冷却状態で貯留されている。この状態で冷茶または冷水の注出スイッチが操作されると、冷水側の対応する電磁弁３０のソレノイド３５に通電されて弁口３４が開放され、第２給水管２５を通って水道水が冷却コイル２４に導入されつつ、冷却コイル２４中で冷却された冷水が、対応する出口ジョイント５０から吐出され、所定量が吐出されたことが検知されたら、通電が断たれて電磁弁３０の弁口３４が閉じ、吐出された冷水は、粉末茶と混合されて冷茶として注出され、あるいは冷水として直接に注出管１７から注出される。
【００２２】
この間、電磁弁３０が閉じられて冷水の吐出が停止されると、そのときの水圧により、入口ジョイント４０と出口ジョイント５０に対して、接続管４２，５２が電磁弁３０の入力ポート３２、出力ポート３３から抜ける方向に力が作用するが、電磁弁３０を収容した取付箱６０の前後の壁板６６に設けられた係止凹部６７が、入口ジョイント４０の接続管４２の係止溝４５と、出口ジョイント５０の接続管５２の係止溝５５とにそれぞれ嵌まって係止することで、入口ジョイント４０、出口ジョイント５０の接続管４２，５２が、相手の電磁弁３０の入力ポート３２、出力ポート３３から抜ける方向に移動することが規制される。
【００２３】
それでも、接続管４２，５２に対して頻繁に抜ける方向の力が作用するため、シールリング４４が摩耗しやすく、また経時劣化も生ずることから、電磁弁３０の入出力ポート３２，３３から図らずも水洩れすることはあり得る。
ポート３２，３３から水洩れした場合、その洩れ水は、ポート３２，３３から出たのち収容箱６０の各部屋６３の底板６４上に流れ、その底板６４に開口された通孔７７を通って冷水タンク２０内に滴下し、貯留された冷却用水中に混入される。洩れ量が増えて冷水タンク２０の水位が上昇した場合は、冷水タンク２０に装備されたオーバフローパイプ２８からオーバフローホース２９を通って、注出ステージ１１に設けられたドレンパンに排水され、さらに所定の排水箇所に排水されるから、冷却用水が溢れることはない。
【００２４】
すなわち本実施形態によれば、仮に電磁弁３０から水洩れが生じても、電磁弁３０の収容箱６０内に留められて、底板６４の通孔７７からすべて冷水タンク２０内に回収されるから、例えば、洩れ水が給茶機本体１０の底面の通気孔等を通って設置面に滴下してこれを濡らしたり、また、本体１０内に装備された電気部品に降り懸かって損傷を与えるといったことが未然に防止される。
【００２５】
＜第２実施形態＞
本発明は、冷水タンク２０の蓋８０がステンレス鋼板等の金属製であって、この蓋８０の上面にブラケット８５を介して電磁弁３０を取り付ける形式のものにも適用でき、その例を図６及び図７によって説明する。
なお、第１実施形態と同一部材並びに同一機能を有する部材、部位については、同一符号を付して説明を簡略化または省略する。
【００２６】
電磁弁３０の取付構造を簡単に説明すると、各電磁弁３０の入力ポート３２に入口ジョイント４０の対応する接続管４２が、また、出力ポート３３に個別の出口ジョイント５０の接続管５２がそれぞれ挿入されて接続され、続いて抜け止め板８１が、本体部３１の下方から前後の係止板８２で前後の面を挟むようにして当てられる。これに伴い、入力ポート３２と出力ポート３３にそれぞれ挿入された接続管４２，５２の係止溝４５，５５に、係止板８２に形成された係止凹部８３の周縁が嵌合し、各抜け止め板８１は電磁弁３０の本体部３１の底面にねじ８４で止められて固定される。
【００２７】
このようにアッセンブリ化されたら、入口ジョイント４０の下向きの接続管４１が、蓋８０の導出口２６に挿入されるとともに、各抜け止め板８１の前側の係止板８２が、蓋８０上に取り付けられたブラケット８５の取付板８６の裏側に入れられて、各出口ジョイント５０の接続管５２が取付板８６に形成された取付溝８７に嵌められて支持され、そののち取付板８６に、各抜け止め板８１の前側の係止板をねじ８４で止めることにより、ブラケット８５に対して各抜け止め板８１すなわち各電磁弁３０が取り付けられる。
そして、このような蓋８０の上面の周縁に沿って溝９０が凹み形成され、この溝９０の底に、冷水タンク２０内に開口する複数の通孔９１が、間隔を開けて形成されている。
【００２８】
上記構造のものにおいても、同様に電磁弁３０の入出力ポート３２，３３から図らずも水洩れすることはあり得るが、その洩れ水は、ポート３２，３３から出たのち蓋８０上を流れて溝９０内に集められ、その溝９０の底の通孔９１を通って冷水タンク２０内に滴下し、冷却用水中に混入される。
同じく洩れ水が給茶機の設置面に滴下して濡らしたり、また本体１０内の電気部品に降り懸かって損傷を与えることが防止される。
なお、第２実施形態の変形例として、蓋８０の周縁に壁を巡らせ、この壁の内側に、冷水タンク２０内に開口する通孔９１を形成するようにしてもよい。同様の作用効果を得ることができる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では電磁弁の数が４個の場合を例示したが、その数は任意である。
（２）また上記実施形態では、冷水と温水の両方を吐出することができる給茶機を例示したが、冷水のみを供給する冷水機にももちろん適用できる。
【図面の簡単な説明】
【図１】本発明の第１実施形態に係る給茶機の内部構造を示す正面図
【図２】冷水タンク付近の分解斜視図
【図３】蓋の平面図
【図４】電磁弁の配設部分の構造を示す分解斜視図
【図５】その側断面図
【図６】第２実施形態に係る電磁弁の配設部分の構造を示す分解斜視図
【図７】その側断面図
【符号の説明】
２０…冷水タンク  ２１…蓋  ２４…冷却コイル  ２８…オーバフローパイプ２９…オーバフローホース  ３０…電磁弁  ３２…入力ポート  ３３…出力ポート  ４０…入口ジョイント  ４２…接続管  ４４…シールリング  ５０…出口ジョイント  ５２…接続管  ５４…シールリング  ６０…取付箱  ６３…部屋  ６４…底板  ７７…通孔  ８０…蓋  ９０…溝  ９１…通孔
【図１】
2004161317.tif 000003
【図２】
2004161317.tif 000004
【図３】
2004161317.tif 000005
【図４】
2004161317.tif 000006
【図５】
2004161317.tif 000007
【図６】
2004161317.tif 000008
【図７】
2004161317.tif 000009